(57)【特許請求の範囲】
【請求項１】
空気の吸引孔が適宜の位置に複数穿設されている、ネットワーク状に敷設されているエアーサンプリング管と、
このエアーサンプリング管へ空気を吸引させる空気吸引装置と、
上記エアーサンプリング管の内部に分散配置された複数の煙検知器と、
いずれかの上記煙検知器からの検知信号を受信して表示する表示装置と、
上記空気吸引装置に近接して設けられた、分散配置された上記各煙検知器より感度能力が高い煙検知器と
を備えたことを特徴とする煙検知システム。
【請求項２】
分散配置された上記各煙検知器が共通バスを介して上記表示装置に検知信号を送出するものであることを特徴とする請求項１に記載の煙検知システム。
【発明の詳細な説明】
【０００１】
【発明の属する技術分野】
本発明は煙検知システムに関し、特に、エアーサンプリング管に防護区域の空気を吸引して火災発生時の煙発生を検知するシステムに適用して好適なものである。
【０００２】
【従来の技術】
従来においては、天井に設置された煙検知器によって火災発生時に生じた煙を検知するのが一般的である。
【０００３】
しかし、この煙検知方法では、火災点での温度上昇によって引き越される熱対流によって煙が煙検知器の位置に到達することを前提としており、熱対流が生じないような火災での煙検知は遅くなるという課題がある。例えば、最近においては、床面の下にケーブルピットを設けて電気ケーブル等を敷設することが多くなってきたが、このようなケーブルピット内で火災が発生して煙が発生した場合、ケーブルピットから煙が床面を介して室内に漏れでても室内では熱対流はほとんど生じないため、天井に設置された煙検知器での検知は遅くなる。
【０００４】
そこで、熱対流がない場合でも煙の発生を迅速に検知できる、図２に示す吸引式の煙検知システムが既に提案されている。
【０００５】
図２において、空気吸引孔１ａが適宜の位置に穿設されているパイプ（以下、エアーサンプリング管と呼ぶ）１が天井面や壁面等にネットワークを構成するように設けられており、ファンを内蔵している吸引煙検知装置２が吸引動作して監視区域内からエアーサンプリング管１に吸引された空気を取り込むようになされている。そして、吸引煙検知装置２が、取り込んだ空気に基づいて火災発生時の煙の存在を検知し、検知時に表示装置３に異常表示を実行させる。
【０００６】
【発明が解決しようとする課題】
ところで、従来の吸引式煙検知システムにおいては、多くの空気吸引孔１ａから空気をエアーサンプリング管１に導入しているため、ある空気吸引孔１ａから導入された煙は吸引煙検知装置２に到達するときには希釈されてかなりの低濃度となる。そのため、吸引煙検知装置２としては、一般的な検知方法を採用している煙検知器を適用できず、レーザ光を利用して粒子レベルでの検知を行なうことができる検知感度能力が非常に高い（一般的なものの例えば１０００倍程度）検知器を内蔵しており、システムとして非常に高価なものとなっていた。
【０００７】
吸引式煙検知システムの場合、エアーサンプリング管１の敷設長が短ければ吸引検知という機能が十分に発揮されていない。また、吸引煙検知装置２が高価であるため、その能力が許す限りでエアーサンプリング管１を広範囲に敷設することでコストパフォーマンスが良くなる。実際上、１個の吸引煙検知装置２で２００ｍのエアーサンプリング管１をカバーできるようになされている。しかし、煙発生点は吸引煙検知装置２を単位としてしか特定できないため、エアーサンプリング管１のカバー範囲が広くなると、検知時に作業員が確認する範囲が広くなり、場所特定に長時間を要することを生じる。
【０００８】
本発明は、以上の点を考慮してなされたものであり、煙発生点の特定をし易い、可能ならば安価な吸引式煙検知システムを提供しようとしたものである。
【０００９】
【課題を解決するための手段】
かかる課題を解決するため、本発明による煙検知システムは、(1) 空気の吸引孔が適宜の位置に複数穿設されている、ネットワーク状に敷設されているエアーサンプリング管と、(2) このエアーサンプリング管へ空気を吸引させる空気吸引装置と、(3) エアーサンプリング管の内部に分散配置された複数の煙検知器と、(4) いずれかの煙検知器からの検知信号を受信して表示する表示装置と、(5)空気吸引装置に近接して設けられた、分散配置された各煙検知器より感度能力が高い煙検知器とを備えたことを特徴とする。
【００１０】
本発明においては、以上のように煙検知器を分散配置することにより、煙発生点が特定し易くなり、また、複数の煙検知器が検知動作する可能性が大きくなり、システムの信頼性を向上できる。
【００１１】
また、分散配置された各煙検知器より感度能力が高い煙検知器を空気吸引装置に近接して設けているので、さらにシステムの信頼性を向上できる。
【００１２】
また、分散配置された各煙検知器が共通バスを介して表示装置に検知信号を送出するものとすると、検知信号の伝送用ケーブルのシステム全体としての敷設量を少なくできて好ましい。
【００１３】
【発明の実施の形態】
（Ａ）第１の実施形態
以下、本発明による吸引式煙検知システムの第１の実施形態を図面を参照しながら詳述する。ここで、図１がこの第１の実施形態のシステム構成図である。
【００１４】
図１において、この第１の実施形態の吸引式煙検知システムも、空気吸引孔１１が適宜の位置に穿設されているパイプ（エアーサンプリング管）１２が天井面や壁面等にネットワークを構成するように直接又は懸架されて設けられており、ファン１３Ｂ及び高感度煙検知器１３Ａを内蔵している吸引煙検知装置１３が吸引動作して室内からエアーサンプリング管１２に吸引された空気を取り込むようになされている。そして、吸引煙検知装置１３における高感度煙検知器１３Ａが、取り込んだ空気に基づいて火災発生時の煙の存在を検知し、検知時に表示装置１４に異常表示を実行させるようになされている。
【００１５】
なお、エアーサンプリング管１２の管径や、空気吸引孔１１の直径等は、吸引源（吸引煙検知装置１３内部のファン１３Ｂ）からの距離に応じて適宜選定されており、空気吸引孔１１からの吸引空気量が各空気吸引孔１１でできるだけ均一になるようになされている。
【００１６】
この第１の実施形態においては、以上のような従来と同様な構成要素に加えて、エアーサンプリング管１２の内部の適宜の位置に分散して配置された複数の煙検知器１５−１、１５−２、…を備えている。これら複数の煙検知器１５−１、１５−２、…は、例えば、エアーサンプリング管１２の外部に敷設されている共通バス１６を介して表示装置１４に接続されている。
【００１７】
分散配置された各煙検知器（以下、分散煙検知器と呼ぶこともある）１５−１、１５−２、…は、例えば、エアーサンプリング管１２の本管１２Ａと分岐管１２Ｂとの結合部１２Ｃに設けられる。なお、各分岐管１２Ｂは、例えば、室内の天井や壁面だけでなく、ケーブルピット内や大型装置（大型計算機や電子交換機）内やダクト内等に設けられることもあり得る。
【００１８】
図３は、結合部１２Ｃの概略構成例を示したものである。図３において、結合部１２Ｃは、例えば下面において分岐管１２Ｂを取り付けており、ある１側面において本管（又は本管への連絡管）１２Ａを取り付けている。結合部１２Ｃの内部は、下方から上方への空気流を横方向の空気流に変換する空気流方向変換板１７によって２分されており、その上方の空間に分散煙検知器１５（１５−１、１５−２、…）が固着されている。また、ケーブル（共通バス１６やその他の電源ケーブル等）を通したシール部材を伴った貫通孔１８が設けられており、この貫通孔１８を介して内外に連絡されているケーブルに分散煙検知器１５が接続されている。
【００１９】
各分散煙検知器１５−１、１５−２、…としては、自己に割り当てられているエアーサンプリング管長が短いので、高感度煙検知器１３Ａほどの感度能力は必要ではなく、光学式、イオン式等の既存の各種の煙検知器を適用することができる。しかし、この実施形態の場合、自己を特定する識別情報を伴った検知信号を送出するアドレッシング型であることを要する。また、各分散煙検知器１５−１、１５−２、…としては、検知したか否かを表すオンオフ信号でなる検知信号を送出するものでも良いが、検知度合（煙濃度段階）をデジタル値で表した検知信号を出力するアナログ式のものが好ましい。
【００２０】
なお、この第１の実施形態の表示装置１４は、高感度煙検知器１３Ａだけでなく、分散されている煙検知器１５−１、１５−２、…をも対象としているため、従来のものとは異なっている。すなわち、各煙検知器１３、１５−１、１５−２、…の検知信号を区別して受信表示できる機能を有している。また、内蔵するタイマに基づいて、有効な検知信号を送出した煙検知器の順番の表示機能を有することは好ましい。なお、表示装置１４が各分散煙検知器１５−１、１５−２、…の検知信号を取込む方法は、ポーリング方法やトークンパッシング方法等の各種の方法を適用できる。
【００２１】
以上のような各部からなるこの第１の実施形態の吸引式煙検知システムの監視区域において煙が生じると、エアーサンプリング管１２にその煙が導入されて高感度煙検知器１３Ａが検知すると共に、煙発生点に近い位置の分散煙検知器１５−ｉ（ｉは１、２、…）が検知し、表示装置１４に検知信号が与えられて煙の発生が表示される。
【００２２】
ここで、高感度煙検知器１３Ａからの検知信号が最も早かったとしても、その後に到来する分散煙検知器１５−ｉからの検知信号によって、煙発生点を表示装置１４又は作業員が特定することができる。すなわち、分散煙検知器１５−ｉがオンオフ信号でなる検知信号を出力するデジタル式のものであれば、その到来順序によって、表示装置１４が自動的に特定でき、又は、表示装置１４が到来順序を表示することによって作業員が特定することができる。また、分散煙検知器１５−ｉがデジタル信号でなる検知信号を出力するアナログ式のものであれば、最大の検知レベルを有する検知信号によって表示装置１４が自動的に特定でき、又は、表示装置１４が各分散煙検知器１５−ｉの検知レベルを表示することによって作業員が特定することができる。
【００２３】
以上のように、第１の実施形態によれば、吸引煙検知装置１３内の高感度煙検知器１３Ａに加えて、分散配置された複数の煙検知器１５−ｉを設けたので、高感度煙検知器１３Ａや一部の分散煙検知器が故障していたとしても煙の発生を確実に検知できる。また、その発生箇所を特定することができ、煙発生に対する措置を効率良く迅速に行なうことができる。
【００２４】
また、分散配置された煙検知器１５−ｉは、共通バス１６を介して、表示装置１４に検知信号を送出するので、防護区画に付設する煙検知のためのケーブルを最少限にすることができる。
【００２５】
（Ｂ）第２の実施形態
次に、本発明による吸引式煙検知システムの第２の実施形態を図面を参照しながら詳述する。ここで、図４がこの第２の実施形態のシステム構成図であり、上述した図１との同一、対応部分には同一符号を付して示している。
【００２６】
第２の実施形態は、図１及び図４との比較から明らかなように、第１の実施形態における吸引煙検知装置１３に代えて、その位置に単に空気を吸引するファン２０だけを設けたものである。
【００２７】
この第２の実施形態の吸引式煙検知システムの監視区域において煙が生じると、ファン２０による吸引によってその煙がエアーサンプリング管１２に導入されて煙発生点に近い位置の１又は２以上の分散煙検知器１５−ｉが検知し、表示装置１４に検知信号が与えられて煙の発生が表示される。
【００２８】
第２の実施形態によれば、分散配置された複数の煙検知器１５−ｉを設けたので、一部の分散煙検知器が故障していたとしても煙の発生を検知できる確率が高くなっている。また、その発生箇所を特定することができ、煙発生に対する措置を効率良く迅速に行なうことができる。
【００２９】
また、第２の実施形態によっても、分散配置された煙検知器１５−ｉは、共通バス１６を介して、表示部１４に検知信号を送出するので、防護区画に敷設する煙検知のためのケーブルを最少限にすることができる。
【００３０】
さらに、第２の実施形態によれば、高感度煙検知器１３Ａを用いずに、吸引式煙検知システムを構成しているので、システムを安価なものとできる。なお、高感度煙検知器１３Ａを用いずとも、各分散煙検知器１５−ｉが担当するエアーサンプリング管１２の長さを適宜選定することにより、検知能力の劣化を防止することができる。
【００３１】
（Ｃ）第３の実施形態
次に、本発明による吸引式煙検知システムの第３の実施形態を図面を参照しながら詳述する。
【００３２】
ここで、図５がこの第３の実施形態のシステム構成図であり、上述した図１との同一、対応部分には同一符号を付して示している。図６は、その吸引煙検知装置の概略構成を示す図面である。
【００３３】
図５において、この第３の実施形態の場合、複数のエアーサンプリング管１２−１、…、１２−Ｎが連通管等で連通することなく相互に独立して付設されている。各エアーサンプリング管１２−１、…、１２−Ｎはそれぞれ、対応する吸引煙検知装置２１−１、…、２１−Ｎに取り付けられている。
【００３４】
各吸引煙検知装置２１−１、…、２１−Ｎはそれぞれ、図６に示すように、共通バス１６を介して表示部１４に接続されているアドレッシブな煙検知器１５−１、…、１５−Ｎを内蔵するだけでなく、内部電源又は外部電源によって駆動されるファン２０−１、…、２０−Ｎを内蔵している。
【００３５】
各吸引煙検知装置２１−ｉにおいては、ファン２０−ｉの回転により、エアーサンプリング管１２−ｉに吸引された空気が吸引煙検知装置２１−ｉに取り込まれ、この取り込まれた空気流の方向が空気流方向変換板１７−ｉによって変換されて分散煙検知器１５−ｉを通過し、排出孔２２−ｉから外部に排出される。ここで、エアーサンプリング管１２−ｉに吸引された空気に煙が混入されていると、分散煙検知器１５−ｉが検知動作し、共通バス１６を介して表示装置１４に検知信号を送出する。
【００３６】
第３の実施形態によれば、分散配置された複数の煙検知器１５−ｉを設けたので、一部の分散煙検知器が故障していたとしてもエアーサンプリング管が近接した他の煙検知器によって煙を検知できることもあり、システム全体としての検出確率を高くできる。また、その発生箇所を特定することができ、煙発生に対する措置を効率良く迅速に行なうことができる。
【００３７】
また、第３の実施形態によっても、分散配置された煙検知器１５−ｉは、共通バス１６を介して、表示装置１４に検知信号を送出するので、防護区画に敷設する煙検知のためのケーブルを最少限にすることができる。
【００３８】
さらに、第３の実施形態によっても、高感度煙検知器１３Ａを用いることなく、吸引式煙検知システムを構成しているので、システムを安価なものとできる。
【００３９】
さらにまた、第３の実施形態によれば、各分散煙検知器に対応して個別にファンを設けているので、吸引能力を高くでき、エアーサンプリング管の近くにエアコン等があっても空気を確実に吸引することができ、吸引煙検知装置を床面等の低い位置に設けることも可能となる。また、エアーサンプリング管の直径や空気吸引孔の直径を場所によって変更することなどを不要にでき得る。
【００４０】
（Ｄ）他の実施形態
なお、第１及び第２の実施形態においては、分散配置された各煙検知器から表示装置への検知信号の送信を共通バスを介して行なうものを示したが、各分散煙検知器と表示装置とを個別に接続し、表示装置がその接続線によって煙発生を検知した煙検知器を特定するものであっても良い。
【００４１】
また、第１及び第２の実施形態においては、吸引源から遠い位置の分散煙検知器を通過した空気が近い位置の分散煙検知器を流れないように、各分散煙検知器をエアーサンプリング管内に設けたものを示したが、吸引源から遠い位置の分散煙検知器を通過した空気が近い位置の分散煙検知器を流れるように、各分散煙検知器をエアーサンプリング管内に設けても良いことは勿論である。
【００４２】
さらに、第１及び第２の実施形態においては、各分散煙検知器の感度能力が等しいものを示したが、感度能力が異なるものを適用するようにしても良い。例えば、エアーサンプリング管のネットワークを、ツリー状ネットワークとして構築した場合に、根元に近い位置の分散煙検知器ほど感度能力が高いものを適用するようにしても良い。
【００４３】
さらにまた、上記各実施形態では、表示装置が１個のものを示したが、複数の表示装置を設けて、各表示装置に複数の分散煙検知器を担当させるようにしても良い。
【００４４】
【発明の効果】
以上のように、本発明によれば、複数に分断されて又は連通してネットワーク状に敷設されているエアーサンプリング管に吸引された空気を検知対象とする煙検知器を、分散して複数配置するようにしたので、煙発生点が特定し易くなり、また、複数の煙検知器が検知動作する可能性が大きくなり、システムの信頼性を向上できる。
【図面の簡単な説明】
【図１】  第１の実施形態のシステム構成を示す説明図である。
【図２】  従来のシステム構成を示す説明図である。
【図３】  第１の実施形態の分散煙検知器の設置方法の説明図である。
【図４】  第２の実施形態のシステム構成を示す説明図である。
【図５】  第３の実施形態のシステム構成を示す説明図である。
【図６】  第３の実施形態の吸引煙検知器の概略構成を示す説明図である。
【符号の説明】
１１…空気吸引孔、
１２…エアーサンプリング管、
１３、２１−ｉ…吸引煙検知装置、
１３Ａ…高感度煙検知器、
１３Ｂ、２０、２０−ｉ…ファン、
１４…表示装置、
１５−ｉ…分散配置された煙検知器。
【図１】
0003648307.tif 000002
【図２】
0003648307.tif 000003
【図３】
0003648307.tif 000004
【図４】
0003648307.tif 000005
【図５】
0003648307.tif 000006
【図６】
0003648307.tif 000007